【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  ネットワーク上でサーバコンピュータにより公開された第１の文書ファイルを印刷して得られた原稿を読み取って第１の画像データを得る原稿読取手段と、
前記第１の画像データから前記第１の文書ファイルの所在を表す所在情報を抽出する所在情報抽出手段と、
前記第１の画像データから前記第１の文書ファイルを印刷した印刷日付を抽出する印刷日付抽出手段と、
ネットワーク上のサーバコンピュータから受信した文書ファイルを格納する文書ファイル格納手段と、
前記印刷日付より後に受信した前記所在情報にかかる第２の文書ファイルを前記文書ファイル格納手段から検索する文書ファイル検索手段と、
前記第２の文書ファイルから第２の画像データを生成する第２の画像データ生成手段と、
前記第２の画像データを画像形成する画像形成手段と、
を有することを特徴とする画像処理装置。
【請求項２】  前記所在情報に基づいて前記サーバコンピュータに文書ファイルの転送要求を送信する文書ファイル転送要求送信手段と、
前記サーバコンピュータから前記転送要求にかかる第３の文書ファイルを受信する文書ファイル受信手段と、
前記第３の文書ファイルから第３の画像データを生成する第３の画像データ生成手段とをさらに有し、
前記画像形成手段は、前記文書ファイル検索手段が第２の文書ファイルを検出しなかった場合に前記第３の画像データを画像形成することを特徴とする、
請求項１に記載の画像処理装置。
【請求項３】  前記画像形成手段は、前記文書ファイル検索手段が第２の文書ファイルを検出しなかった場合に前記第１の画像データを画像形成することを特徴とする、
請求項１に記載の画像処理装置。
【請求項４】  ネットワーク上でサーバコンピュータにより公開された第１の文書ファイルを印刷して得られた原稿を読み取って第１の画像データを得る原稿読取手段と、
前記第１の画像データから前記第１の文書ファイルの所在を表す所在情報を抽出する所在情報抽出手段と、
前記第１の画像データから前記第１の文書ファイルを印刷した印刷日付を抽出する印刷日付抽出手段と、
ネットワーク上のサーバコンピュータから受信した文書ファイルを格納する文書ファイル格納手段と、
前記印刷日付より後に受信した前記所在情報にかかる第２の文書ファイルを前記文書ファイル格納手段から検索する文書ファイル検索手段と、
前記第２の文書ファイルから第２の画像データを生成する第２の画像データ生成手段と、
前記所在情報に基づいて前記サーバコンピュータに文書ファイルの転送要求を送信する文書ファイル転送要求送信手段と、
前記サーバコンピュータから前記転送要求にかかる第３の文書ファイルを受信する文書ファイル受信手段と、
前記第３の文書ファイルから第３の画像データを生成する第３の画像データ生成手段と、
画像データ出力モードが画質優先モードであるか速度優先モードであるかの設定入力を受け付ける画像データ出力モード設定入力手段と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを画像形成する第１の画像形成手段と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを画像形成する第２の画像形成手段と、
を有することを特徴とする画像処理装置。
【請求項５】  ネットワーク上でサーバコンピュータにより公開された文書ファイルを印刷して得られた原稿を読み取って第１の画像データを得る原稿読取手段と、
前記第１の画像データが前記文書ファイルの複数ページ分の画像データを縮小して１ページに印刷して得られた縮小画像原稿にかかるものであるか否かを判別する縮小画像原稿判別手段と、
前記第１の画像データが縮小画像原稿にかかるものでない場合に前記第１の画像データを画像形成する第１の画像形成手段と、
前記第１の画像データから前記文書ファイルの所在を表す所在情報を抽出する所在情報抽出手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから第２の画像データを生成する画像データ生成手段と、
前記第１の画像データが縮小画像原稿にかかるものである場合に前記第２の画像データを画像形成する第２の画像形成手段と、
を有することを特徴とする画像処理装置。
【請求項６】  ネットワーク上でサーバコンピュータにより公開された文書ファイルを印刷して得られた原稿を読み取って第１の画像データを得る原稿読取手段と、
前記第１の画像データがカラーであるかモノクロであるかを判別するカラー／モノクロ判別手段と、
前記第１の画像データがカラーである場合に前記第１の画像データをカラーで画像形成する第１の画像形成手段と、
前記第１の画像データから前記文書ファイルの所在を表す所在情報を抽出する所在情報抽出手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから第２の画像データを生成する画像データ生成手段と、
前記第１の画像データがモノクロである場合に前記第２の画像データをカラーで画像形成する第２の画像形成手段と、
を有することを特徴とする画像処理装置。
【請求項７】  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記第２の画像データを画像形成する段階（６）と、
を有することを特徴とする画像処理方法。
【請求項８】  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記第２の画像データを画像形成する手順（６）と、
を画像処理装置に実行させることを特徴とする画像処理プログラム。
【請求項９】  請求項８に記載の画像処理プログラムを記録したコンピュータ読取可能な記録媒体。
【請求項１０】  ネットワーク上でサーバコンピュータにより公開された第１の文書ファイルを印刷して得られた原稿を読み取って第１の画像データを得る原稿読取手段と、
前記第１の画像データから前記第１の文書ファイルの所在を表す所在情報を抽出する所在情報抽出手段と、
前記第１の画像データから前記第１の文書ファイルを印刷した印刷日付を抽出する印刷日付抽出手段と、
ネットワーク上のサーバコンピュータから受信した文書ファイルを格納する文書ファイル格納手段と、
前記印刷日付より後に受信した前記所在情報にかかる第２の文書ファイルを前記文書ファイル格納手段から検索する文書ファイル検索手段と、
前記第２の文書ファイルから第２の画像データを生成する第２の画像データ生成手段と、
前記第２の画像データを他の機器に送信する画像データ送信手段と、
を有することを特徴とする画像処理装置。
【請求項１１】  前記所在情報に基づいて前記サーバコンピュータに文書ファイルの転送要求を送信する文書ファイル転送要求送信手段と、
前記サーバコンピュータから前記転送要求にかかる第３の文書ファイルを受信する文書ファイル受信手段と、
前記第３の文書ファイルから第３の画像データを生成する第３の画像データ生成手段とをさらに有し、
前記画像データ送信手段は、前記文書ファイル検索手段が第２の文書ファイルを検出しなかった場合に前記第３の画像データを他の機器に送信することを特徴とする、
請求項１０に記載の画像処理装置。
【請求項１２】  前記画像データ送信手段は、前記文書ファイル検索手段が第２の文書ファイルを検出しなかった場合に前記第１の画像データを他の機器に送信することを特徴とする、
請求項１０に記載の画像処理装置。
【請求項１３】  ネットワーク上でサーバコンピュータにより公開された第１の文書ファイルを印刷して得られた原稿を読み取って第１の画像データを得る原稿読取手段と、
前記第１の画像データから前記第１の文書ファイルの所在を表す所在情報を抽出する所在情報抽出手段と、
前記第１の画像データから前記第１の文書ファイルを印刷した印刷日付を抽出する印刷日付抽出手段と、
ネットワーク上のサーバコンピュータから受信した文書ファイルを格納する文書ファイル格納手段と、
前記印刷日付より後に受信した前記所在情報にかかる第２の文書ファイルを前記文書ファイル格納手段から検索する文書ファイル検索手段と、
前記第２の文書ファイルから第２の画像データを生成する第２の画像データ生成手段と、
前記所在情報に基づいて前記サーバコンピュータに文書ファイルの転送要求を送信する文書ファイル転送要求送信手段と、
前記サーバコンピュータから前記転送要求にかかる第３の文書ファイルを受信する文書ファイル受信手段と、
前記第３の文書ファイルから第３の画像データを生成する第３の画像データ生成手段と、
画像データ出力モードが画質優先モードであるか速度優先モードであるかの設定入力を受け付ける画像データ出力モード設定入力手段と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを他の機器に送信する第１の画像データ送信手段と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを他の機器に送信する第２の画像データ送信手段と、
を有することを特徴とする画像処理装置。
【請求項１４】  ネットワーク上でサーバコンピュータにより公開された文書ファイルを印刷して得られた原稿を読み取って第１の画像データを得る原稿読取手段と、
前記第１の画像データが前記文書ファイルの複数ページ分の画像データを縮小して１ページに印刷して得られた縮小画像原稿にかかるものであるか否かを判別する縮小画像原稿判別手段と、
前記第１の画像データが縮小画像原稿にかかるものでない場合に前記第１の画像データを他の機器に送信する第１の画像データ送信手段と、
前記第１の画像データから前記文書ファイルの所在を表す所在情報を抽出する所在情報抽出手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから第２の画像データを生成する画像データ生成手段と、
前記第１の画像データが縮小画像原稿にかかるものである場合に前記第２の画像データを他の機器に送信する第２の画像データ送信手段と、
を有することを特徴とする画像処理装置。
【請求項１５】  ネットワーク上でサーバコンピュータにより公開された文書ファイルを印刷して得られた原稿を読み取って第１の画像データを得る原稿読取手段と、
前記第１の画像データがカラーであるかモノクロであるかを判別するカラー／モノクロ判別手段と、
前記第１の画像データがカラーである場合に前記第１の画像データを他の機器に送信する第１の画像データ送信手段と、
前記第１の画像データから前記文書ファイルの所在を表す所在情報を抽出する所在情報抽出手段と、
前記所在情報に基づいて前記サーバコンピュータに前記文書ファイルの転送要求を送信する文書ファイル転送要求送信手段と、
前記サーバコンピュータから前記文書ファイルを受信する文書ファイル受信手段と、
前記文書ファイルから第２の画像データを生成する画像データ生成手段と、
前記第１の画像データがモノクロである場合に、モノクロで画像形成する機器には前記第１の画像データを、カラーで画像形成する機器には前記第２の画像データを、それぞれ送信する第２の画像データ送信手段と、
を有することを特徴とする画像処理装置。
【請求項１６】  前記サーバコンピュータに前記所在情報にかかる第３の文書ファイルの転送要求を送信する段階（７）と、
前記サーバコンピュータから前記第３の文書ファイルを受信する段階（８）と、
前記第３の文書ファイルから第３の画像データを生成する段階（９）とをさらに有し、
段階（６）は、段階（４）で第２の文書ファイルを検出しなかった場合に前記第３の画像データを画像形成することを特徴とする、
請求項７に記載の画像形成方法。
【請求項１７】  段階（６）は、段階（４）で第２の文書ファイルを検出しなかった場合に前記第１の画像データを画像形成することを特徴とする、
請求項７に記載の画像形成方法。
【請求項１８】  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記サーバコンピュータに前記所在情報にかかる第３の文書ファイルの転送要求を送信する段階（６）と、
前記サーバコンピュータから前記第３の文書ファイルを受信する段階（７）と、
前記第３の文書ファイルから第３の画像データを生成する段階（８）と、
画像データ出力モードが画質優先モードであるか速度優先モードであるかの設定入力を受け付ける段階（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを画像形成する段階（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを画像形成する段階（１１）と、
を有することを特徴とする画像処理方法。
【請求項１９】  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記第２の画像データを他の機器に送信する段階（６）と、
を有することを特徴とする画像処理方法。
【請求項２０】  前記サーバコンピュータに前記所在情報にかかる第３の文書ファイルの転送要求を送信する段階（７）と、
前記サーバコンピュータから前記第３の文書ファイルを受信する段階（８）と、
前記第３の文書ファイルから第３の画像データを生成する段階（９）とをさらに有し、
段階（６）は、段階（４）で第２の文書ファイルを検出しなかった場合に前記第３の画像データを他の機器に送信することを特徴とする、
請求項１９に記載の画像形成方法。
【請求項２１】  段階（６）は、段階（４）で第２の文書ファイルを検出しなかった場合に前記第１の画像データを他の機器に送信することを特徴とする、
請求項１９に記載の画像形成方法。
【請求項２２】  ネットワーク上でサーバコンピュータにより公開された第１の文書ファイルを印刷して得られた原稿を読み取って第１の画像データを得る段階（１）と、
前記第１の画像データから前記第１の文書ファイルの所在を表す所在情報を抽出する段階（２）と、
前記第１の画像データから前記第１の文書ファイルを印刷した印刷日付を抽出する段階（３）と、
ネットワーク上のサーバコンピュータから受信した文書ファイルを格納した文書ファイル格納手段から、前記印刷日付より後に受信した前記所在情報にかかる第２の文書ファイルを検索する段階（４）と、
前記第２の文書ファイルから第２の画像データを生成する段階（５）と、
前記サーバコンピュータに前記所在情報にかかる第３の文書ファイルの転送要求を送信する段階（６）と、
前記サーバコンピュータから前記第３の文書ファイルを受信する段階（７）と、
前記第３の文書ファイルから第３の画像データを生成する段階（８）と、
画像データ出力モードが画質優先モードであるか速度優先モードであるかの設定入力を受け付ける段階（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを他の機器に送信する段階（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを他の機器に送信する段階（１１）と、
を有することを特徴とする画像処理方法。
【請求項２３】  ネットワーク上でサーバコンピュータにより公開された文書ファイルを印刷して得られた原稿を読み取って第１の画像データを得る段階（１）と、
前記第１の画像データが前記文書ファイルの複数ページ分の画像データを縮小して１ページに印刷して得られた縮小画像原稿にかかるものであるか否かを判別する段階（２）と、
前記第１の画像データが縮小画像原稿にかかるものでない場合に前記第１の画像データを画像形成する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データが縮小画像原稿にかかるものである場合に前記第２の画像データを画像形成する段階（８）と、
を有することを特徴とする画像処理方法。
【請求項２４】  ネットワーク上でサーバコンピュータにより公開された文書ファイルを印刷して得られた原稿を読み取って第１の画像データを得る段階（１）と、
前記第１の画像データが前記文書ファイルの複数ページ分の画像データを縮小して１ページに印刷して得られた縮小画像原稿にかかるものであるか否かを判別する段階（２）と、
前記第１の画像データが縮小画像原稿にかかるものでない場合に前記第１の画像データを他の機器に送信する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データが縮小画像原稿にかかるものである場合に前記第２の画像データを他の機器に送信する段階（８）と、
を有することを特徴とする画像処理方法。
【請求項２５】  ネットワーク上でサーバコンピュータにより公開された文書ファイルを印刷して得られた原稿を読み取って第１の画像データを得る段階（１）と、
前記第１の画像データがカラーであるかモノクロであるかを判別する段階（２）と、
前記第１の画像データがカラーである場合に前記第１の画像データをカラーで画像形成する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データがモノクロである場合に前記第２の画像データをカラーで画像形成する段階（８）と、
を有することを特徴とする画像処理方法。
【請求項２６】  ネットワーク上でサーバコンピュータにより公開された文書ファイルを印刷して得られた原稿を読み取って第１の画像データを得る段階（１）と、
前記第１の画像データがカラーであるかモノクロであるかを判別する段階（２）と、
前記第１の画像データがカラーである場合に前記第１の画像データを他の機器に送信する段階（３）と、
前記第１の画像データから前記文書ファイルの所在を表す所在情報を抽出する段階（４）と、
前記所在情報に基づいて前記サーバコンピュータに前記文書ファイルの転送要求を送信する段階（５）と、
前記サーバコンピュータから前記文書ファイルを受信する段階（６）と、
前記文書ファイルから第２の画像データを生成する段階（７）と、
前記第１の画像データがモノクロである場合に、モノクロで画像形成する機器には前記第１の画像データを、カラーで画像形成する機器には前記第２の画像データを、それぞれ送信する段階（８）と、
を有することを特徴とする画像処理方法。
【請求項２７】  前記サーバコンピュータに前記所在情報にかかる第３の文書ファイルの転送要求を送信する手順（７）と、
前記サーバコンピュータから前記第３の文書ファイルを受信する手順（８）と、
前記第３の文書ファイルから第３の画像データを生成する手順（９）とをさらに有し、
手順（６）は、手順（４）で第２の文書ファイルを検出しなかった場合に前記第３の画像データを画像形成することを特徴とする、
請求項８に記載の画像処理プログラム。
【請求項２８】  手順（６）は、手順（４）で第２の文書ファイルを検出しなかった場合に前記第１の画像データを画像形成することを特徴とする、
請求項８に記載の画像処理プログラム。
【請求項２９】  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記サーバコンピュータに前記所在情報にかかる第３の文書ファイルの転送要求を送信する手順（６）と、
前記サーバコンピュータから前記第３の文書ファイルを受信する手順（７）と、
前記第３の文書ファイルから第３の画像データを生成する手順（８）と、
画像データ出力モードが画質優先モードであるか速度優先モードであるかの設定入力を受け付ける手順（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを画像形成する手順（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを画像形成する手順（１１）と、
を画像処理装置に実行させることを特徴とする画像処理プログラム。
【請求項３０】  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記第２の画像データを他の機器に送信する手順（６）と、
を画像処理装置に実行させることを特徴とする画像処理プログラム。
【請求項３１】  前記サーバコンピュータに前記所在情報にかかる第３の文書ファイルの転送要求を送信する手順（７）と、
前記サーバコンピュータから前記第３の文書ファイルを受信する手順（８）と、
前記第３の文書ファイルから第３の画像データを生成する手順（９）とをさらに有し、
手順（６）は、手順（４）で第２の文書ファイルを検出しなかった場合に前記第３の画像データを他の機器に送信することを特徴とする、
請求項３０に記載の画像処理プログラム。
【請求項３２】  手順（６）は、手順（４）で第２の文書ファイルを検出しなかった場合に前記第１の画像データを他の機器に送信することを特徴とする、
請求項３０に記載の画像処理プログラム。
【請求項３３】  ネットワーク上でサーバコンピュータにより公開された第１の文書ファイルを印刷して得られた原稿を読み取って第１の画像データを得る手順（１）と、
前記第１の画像データから前記第１の文書ファイルの所在を表す所在情報を抽出する手順（２）と、
前記第１の画像データから前記第１の文書ファイルを印刷した印刷日付を抽出する手順（３）と、
ネットワーク上のサーバコンピュータから受信した文書ファイルを格納した文書ファイル格納手段から、前記印刷日付より後に受信した前記所在情報にかかる第２の文書ファイルを検索する手順（４）と、
前記第２の文書ファイルから第２の画像データを生成する手順（５）と、
前記サーバコンピュータに前記所在情報にかかる第３の文書ファイルの転送要求を送信する手順（６）と、
前記サーバコンピュータから前記第３の文書ファイルを受信する手順（７）と、
前記第３の文書ファイルから第３の画像データを生成する手順（８）と、
画像データ出力モードが画質優先モードであるか速度優先モードであるかの設定入力を受け付ける手順（９）と、
設定入力を受け付けた前記画像データ出力モードが画質優先モードである場合に、前記文書ファイル検索手段が第２の文書ファイルを検出した場合には前記第２の画像データを、前記文書ファイル検索手段が第２の文書ファイルを検出しなかった場合には前記第３の画像データを他の機器に送信する手順（１０）と、
設定入力を受け付けた前記画像データ出力モードが速度優先モードである場合に、前記文書ファイル検索手段が第２の文書ファイルを検出した場合には前記第２の画像データを、前記文書ファイル検索手段が第２の文書ファイルを検出しなかった場合には前記第１の画像データを他の機器に送信する手順（１１）と、
を画像処理装置に実行させることを特徴とする画像処理プログラム。
【請求項３４】  ネットワーク上でサーバコンピュータにより公開された文書ファイルを印刷して得られた原稿を読み取って第１の画像データを得る手順（１）と、
前記第１の画像データが前記文書ファイルの複数ページ分の画像データを縮小して１ページに印刷して得られた縮小画像原稿にかかるものであるか否かを判別する手順（２）と、
前記第１の画像データが縮小画像原稿にかかるものでない場合に前記第１の画像データを画像形成する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データが縮小画像原稿にかかるものである場合に前記第２の画像データを画像形成する手順（８）と、
を画像処理装置に実行させることを特徴とする画像処理プログラム。
【請求項３５】  ネットワーク上でサーバコンピュータにより公開された文書ファイルを印刷して得られた原稿を読み取って第１の画像データを得る手順（１）と、
前記第１の画像データが前記文書ファイルの複数ページ分の画像データを縮小して１ページに印刷して得られた縮小画像原稿にかかるものであるか否かを判別する手順（２）と、
前記第１の画像データが縮小画像原稿にかかるものでない場合に前記第１の画像データを他の機器に送信する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データが縮小画像原稿にかかるものである場合に前記第２の画像データを他の機器に送信する手順（８）と、
を画像処理装置に実行させることを特徴とする画像処理プログラム。
【請求項３６】  ネットワーク上でサーバコンピュータにより公開された文書ファイルを印刷して得られた原稿を読み取って第１の画像データを得る手順（１）と、
前記第１の画像データがカラーであるかモノクロであるかを判別する手順（２）と、
前記第１の画像データがカラーである場合に前記第１の画像データをカラーで画像形成する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データがモノクロである場合に前記第２の画像データをカラーで画像形成する手順（８）と、
を画像処理装置に実行させることを特徴とする画像処理プログラム。
【請求項３７】  ネットワーク上でサーバコンピュータにより公開された文書ファイルを印刷して得られた原稿を読み取って第１の画像データを得る手順（１）と、
前記第１の画像データがカラーであるかモノクロであるかを判別する手順（２）と、
前記第１の画像データがカラーである場合に前記第１の画像データを他の機器に送信する手順（３）と、
前記第１の画像データから前記文書ファイルの所在を表す所在情報を抽出する手順（４）と、
前記所在情報に基づいて前記サーバコンピュータに前記文書ファイルの転送要求を送信する手順（５）と、
前記サーバコンピュータから前記文書ファイルを受信する手順（６）と、
前記文書ファイルから第２の画像データを生成する手順（７）と、
前記第１の画像データがモノクロである場合に、モノクロで画像形成する機器には前記第１の画像データを、カラーで画像形成する機器には前記第２の画像データを、それぞれ送信する手順（８）と、
を画像処理装置に実行させることを特徴とする画像処理プログラム。
【請求項３８】  請求項２７〜３７に記載の画像処理プログラムを記録したコンピュータ読取可能な記録媒体。